(57)【要約】【課題】  遠隔操作の操作性能を向上させることが可能となる。【解決手段】  遠隔操作装置は、所定領域を撮影し、複数の静止画像データからなる撮影データを出力するカメラモジュールと、静止画像データ毎に、特定人物の顔の有無を判断し、顔の有無を示す顔有無情報と顔の位置を示す顔位置情報とを含む顔識別情報を生成する顔識別部と、顔有無情報を監視し、顔有無情報に顔有りを示す値がセットされていることを検出すると、顔位置情報に基づいて、所定の作成時間内における顔の顔軌を示す顔軌跡情報の作成を開始し、作成された顔軌跡情報が基準ジェスチャパターンと一致するか否かを判定し、一致した基準ジェスチャパターンを決定ジェスチャ情報として出力するジェスチャ判定部と、決定ジェスチャ情報に対応する遠隔操作を特定し、遠隔操作対象の機器に対して、特定した遠隔操作を実行させるための指示を出力する制御部と、を備える。【選択図】  図１
2015064714.tif 000002
【特許請求の範囲】
【請求項１】
所定領域を撮影し、複数の静止画像データからなる撮影データを出力するカメラモジュールと、
前記静止画像データ毎に、特定人物の顔の有無を判断し、前記顔の有無を示す顔有無情報と前記顔の位置を示す顔位置情報とを含む顔識別情報を生成する顔識別部と、
前記顔有無情報を監視し、前記顔有無情報に顔有りを示す値がセットされていることを検出すると、前記顔位置情報に基づいて、所定の作成時間内における前記顔の顔軌を示す顔軌跡情報の作成を開始し、作成された前記顔軌跡情報が基準ジェスチャパターンと一致するか否かを判定し、一致した基準ジェスチャパターンを決定ジェスチャ情報として出力するジェスチャ判定部と、
前記決定ジェスチャ情報に対応する遠隔操作を特定し、遠隔操作対象の機器に対して、特定した前記遠隔操作を実行させるための指示を出力する制御部と
を備えることを特徴とする遠隔操作装置。
【請求項２】
前記顔識別部は、前記静止画像データから顔を抽出し、抽出した顔の特徴データである第１顔特徴データを算出し、前記第１顔特徴データと、前記特定人物の顔の特徴を示す第２顔特徴データとを比較し、前記第１顔特徴データと前記第２顔特著データとが一致した場合、前記顔有無情報に顔有りを示す値をセットするとともに一致した前記顔の位置を前記顔位置情報にセットすることを特徴とする請求項１記載の遠隔操作装置。
【請求項３】
前記作成時間は、移動量が最も大きいジェスチャの推定実行時間以上の時間に設定されることを特徴とする請求項２記載の遠隔操作装置。
【請求項４】
前記遠隔操作対象の機器は、前記カメラモジュールであることを特徴とする請求項１−３のいずれか１項に記載の遠隔操作装置。
【請求項５】
報知部を更に備え、
前記ジェスチャ判定部は、前記報知部の状態を、前記顔有無情報に顔有りを示す値がセットされていることが検出された際に報知状態とし、前記作成時間が経過した際に報知停止状態することを特徴とする請求項１−４のいずれか１項に記載の遠隔操作装置。
【請求項６】
所定領域を撮影し、複数の静止画像データからなる撮影データを出力し、
前記静止画像データ毎に、特定人物の顔の有無を判断し、前記顔の有無を示す顔有無情報と前記顔の位置を示す顔位置情報とを含む顔識別情報を生成し、
前記顔有無情報を監視し、前記顔有無情報に顔有りを示す値がセットされていることを検出すると、前記顔位置情報に基づいて、所定の作成時間内における前記顔の顔軌を示す顔軌跡情報の作成を開始し、作成された前記顔軌跡情報が基準ジェスチャパターンと一致するか否かを判定し、一致した基準ジェスチャパターンを決定ジェスチャ情報として出力し、
前記決定ジェスチャ情報に対応する遠隔操作を特定し、遠隔操作対象の機器に対して、特定した前記遠隔操作を実行させるための指示を出力する
ことを特徴とする遠隔操作方法。
【請求項７】
遠隔操作装置のコンピュータに、
所定領域を撮影し、複数の静止画像データからなる撮影データを出力する処理と、
前記静止画像データ毎に、特定人物の顔の有無を判断し、前記顔の有無を示す顔有無情報と前記顔の位置を示す顔位置情報とを含む顔識別情報を生成する処理と、
前記顔有無情報を監視し、前記顔有無情報に顔有りを示す値がセットされていることを検出すると、前記顔位置情報に基づいて、所定の作成時間内における前記顔の顔軌を示す顔軌跡情報の作成を開始し、作成された前記顔軌跡情報が基準ジェスチャパターンと一致するか否かを判定し、一致した基準ジェスチャパターンを決定ジェスチャ情報として出力する処理と、
前記決定ジェスチャ情報に対応する遠隔操作を特定し、遠隔操作対象の機器に対して、特定した前記遠隔操作を実行させるための指示を出力する処理と
を実行させるための遠隔操作プログラム。
【発明の詳細な説明】
【技術分野】
【０００１】
本発明は、操作対象の機器を遠隔操作する遠隔操作装置、遠隔操作方法、および遠隔操作プログラムに関する。
【背景技術】
【０００２】
遠隔で操作される機器が知られている。たとえば、カメラは、リモコン、あるいは、設定した時間に所定の操作が自動的に実行されるセルフタイマによって遠隔操作される。
【０００３】
リモコンの場合、操作性能上の問題は、特に無い。しかしながら、撮影者はリモコンを常にカメラとともに携帯する手間を強いられる。また、リモコンの場合、リモコンを家に置き忘れたり紛失したりするリスクがある。すなわち、リモコンの場合、管理上の問題がある。
【０００４】
これに対して、セルフタイマの場合、リモコンのような特別な機器は不要でありカメラへの設定のみで実現できるため、管理上気を配る点は無い。しかしながら、セルフタイマの場合、設定した時間の到来時のみに操作が実行される。たとえば、操作が“撮影”であった場合、撮影者が希望するタイミングと設定した時間とが常に一致するとは限らない。タイミングが一致しない場合、撮影者は所望する画像を得ることができない可能性がある。さらに、セルフタイマの場合、設定を変更する度に遠隔操作位置とカメラの間を往復しなければならない。すなわち、セルフタイマの操作性能は、直接操作の操作性能に較べて明らかに劣る。
【０００５】
そこで、操作性能が高く且つ管理上特に気を配る必要が無い遠隔操作方法が要望されている。
【０００６】
特許文献１には、撮像装置から取得した動画像データからユーザの頭部の時間変化（頭部ジェスチャ）を検出し、検出された頭部ジェスチャに対応した処理を実行することが記載されている。
【先行技術文献】
【特許文献】
【０００７】
【特許文献１】特開２０１０−１９１８２６号公報（ページＮｏ．５、図１、図５）
【発明の概要】
【発明が解決しようとする課題】
【０００８】
特許文献１の場合、ジェスチャの検出対象となる人は特定されていない。従って、特許文献１の場合、任意の人、すなわち、撮影者以外の人のジェスチャも検出対象となってしまう。
【０００９】
カメラ撮影において、たとえば、記念撮影のように、撮影者を含む集団を撮影する場面がある。このような場面において、特許文献１の技術によりカメラを遠隔操作させた場合、以下のような問題が生じる。
【００１０】
カメラの調整あるいは撮影のために撮影者がジェスチャを行う期間内に他の人の頭部が完全に静止しているとは限らない。たとえば、撮影者の頭部が静止している段階で他の人の頭部の動きが所定のジェスチャと一致してしまった場合、そのジェスチャに対応した処理が実行されてしまう。この場合、期待する処理と全く異なる処理が実行されるか、または、期待と異なるタイミングにて処理が実行される虞がある。あるいは、撮影者と他の人が同時に異なるジェスチャをした場合、判断に混乱が生じ、場合によっては他の人のジェスチャが採用されてしまう虞がある。すなわち、特許文献１の技術により行われるカメラ遠隔操作の操作性能は、直接操作の操作性能のレベルに到達しているとは言い難い。
【００１１】
本発明は、上記課題を解決するためになされたものであり、遠隔操作の操作性能を向上させることが可能な遠隔操作装置、遠隔操作方法、および遠隔操作プログラムを提供することを目的とする。
【課題を解決するための手段】
【００１２】
本発明の遠隔操作装置は、所定領域を撮影し、複数の静止画像データからなる撮影データを出力するカメラモジュールと、前記静止画像データ毎に、特定人物の顔の有無を判断し、前記顔の有無を示す顔有無情報と前記顔の位置を示す顔位置情報とを含む顔識別情報を生成する顔識別部と、前記顔有無情報を監視し、前記顔有無情報に顔有りを示す値がセットされていることを検出すると、前記顔位置情報に基づいて、所定の作成時間内における前記顔の顔軌を示す顔軌跡情報の作成を開始し、作成された前記顔軌跡情報が基準ジェスチャパターンと一致するか否かを判定し、一致した基準ジェスチャパターンを決定ジェスチャ情報として出力するジェスチャ判定部と、前記決定ジェスチャ情報に対応する遠隔操作を特定し、遠隔操作対象の機器に対して、特定した前記遠隔操作を実行させるための指示を出力する制御部と、を備える。
【００１３】
本発明の遠隔操作方法は、所定領域を撮影し、複数の静止画像データからなる撮影データを出力し、前記静止画像データ毎に、特定人物の顔の有無を判断し、前記顔の有無を示す顔有無情報と前記顔の位置を示す顔位置情報とを含む顔識別情報を生成し、前記顔有無情報を監視し、前記顔有無情報に顔有りを示す値がセットされていることを検出すると、前記顔位置情報に基づいて、所定の作成時間内における前記顔の顔軌を示す顔軌跡情報の作成を開始し、作成された前記顔軌跡情報が基準ジェスチャパターンと一致するか否かを判定し、一致した基準ジェスチャパターンを決定ジェスチャ情報として出力し、前記決定ジェスチャ情報に対応する遠隔操作を特定し、遠隔操作対象の機器に対して、特定した前記遠隔操作を実行させるための指示を出力することを特徴とする。
【００１４】
本発明の遠隔操作プログラムは、遠隔操作装置のコンピュータに、所定領域を撮影し、複数の静止画像データからなる撮影データを出力する処理と、前記静止画像データ毎に、特定人物の顔の有無を判断し、前記顔の有無を示す顔有無情報と前記顔の位置を示す顔位置情報とを含む顔識別情報を生成する処理と、前記顔有無情報を監視し、前記顔有無情報に顔有りを示す値がセットされていることを検出すると、前記顔位置情報に基づいて、所定の作成時間内における前記顔の顔軌を示す顔軌跡情報の作成を開始し、作成された前記顔軌跡情報が基準ジェスチャパターンと一致するか否かを判定し、一致した基準ジェスチャパターンを決定ジェスチャ情報として出力する処理と、前記決定ジェスチャ情報に対応する遠隔操作を特定し、遠隔操作対象の機器に対して、特定した前記遠隔操作を実行させるための指示を出力する処理と、を実行させるためのプログラムである。
【発明の効果】
【００１５】
本発明によれば、遠隔操作の操作性能を向上させることが可能となる。
【図面の簡単な説明】
【００１６】
【図１】本発明の第１の実施形態に係る遠隔操作装置の構成例を示すブロック図である。
【図２】撮影データＡの構成例を示す図である。
【図３】顔識別情報Ｂの構成例を示す図である。
【図４】顔軌跡情報Ｃの概念図である。
【図５】ジェスチャ判定部の動作例を説明するフローチャートである。
【図６】発明の課題を解決するための必須の要素のみで構成された遠隔操作装置の構成例を示すブロック図である。
【図７】本発明の第２の実施形態に係る遠隔操作装置の構成例を示すブロック図である。
【発明を実施するための形態】
【００１７】
［第１の実施形態］
図１は、本発明の第１の実施形態に係る遠隔操作装置１０の構成例を示すブロック図である。遠隔操作装置１０は、カメラモジュール１２と、顔識別部１４と、ジェスチャ判定部１６と、制御部１８と、記憶部２０と、報知部２２と、を備える。
【００１８】
カメラモジュール１２は、遠隔操作する人（特定人物）を含む領域を撮影し、撮影データＡとして出力する。図２は、撮影データＡのデータ構成例を示す図である。撮影データＡは、上記領域を撮影した複数の静止画像データＡ１〜Ａｎ（ｎは正の整数）により構成される。
【００１９】
また、カメラモジュール１２は、特定人物による遠隔操作対象の一つである。操作内容としては、たとえば、「撮影」や「フォーカス制御」を挙げることができる。
【００２０】
顔識別部１４は、撮影データＡを入力し、静止画像データＡ１〜Ａｎ毎に特定人物の顔の有無を判断し、静止画像データＡ１〜Ａｎにおける、特定人物の顔の有無を示す顔有無情報Ｂ１と、顔の位置を示す顔位置情報Ｂ２とを含む顔識別情報Ｂを生成する。図３は、顔識別情報Ｂのデータ構成例を示す図である。
【００２１】
詳細には、先ず、顔識別部１４は、静止画像データＡ１〜Ａｎから顔を抽出する。顔識別部１４における顔抽出処理は、既存の技術によって実行されてもよい。たとえば、顔の輪郭に対応した基準テンプレートを用いたテンプレートマッチングによって顔を検出する方法や、肌の色に近い領域を検出し、その領域を顔領域とする方法等を挙げることができる。
【００２２】
次いで、顔識別部１４は、抽出された顔の特徴データ（第１顔特徴データ）を算出する。顔識別部１４は、第１顔特徴データと、予め登録された特定人物の顔の特徴データ（第２顔特徴データ）とを比較する。第１顔特徴データと第２顔特徴データとが一致した場合、顔識別部１４は、検出対象となった静止画像データＡ１〜Ａｎに対応する顔識別情報Ｂの顔有無情報Ｂ１に“顔有り”を示す値をセットするとともに抽出された顔の位置を顔位置情報Ｂ２にセットする。第１顔特徴データと第２顔特徴データとが一致しない場合、顔識別部１４は、顔有無情報Ｂ１に“顔無し”を示す値をセットする。“顔無し”の場合の顔位置情報Ｂ２の値は、無意味なデータ（ｎｕｌｌ  ｄａｔａ）である。
【００２３】
上記において、顔位置情報Ｂ２にセットされる情報は、顔領域内の任意の位置、たとえば、顔領域の中心の座標情報である。
【００２４】
なお、“顔特徴データ”とは個人を識別可能な身体的（この場合、顔）な特徴データ、たとえば、目、鼻、口、耳の各位置の関係を示すデータ、あるいは、顔幅、顔の長さ、額の長さの比率データ等である。
【００２５】
また、第２顔特徴データは、遠隔操作を行う前に、予め、たとえば、記憶部２０に格納されているものとする。
【００２６】
ジェスチャ判定部１６は、顔有無情報Ｂ１を監視し、顔有無情報Ｂ１に“顔有り”を示す値がセットされていることを検出すると、顔位置情報Ｂ２に基づいて、顔の顔軌を示す顔軌跡情報Ｃ（複数の顔位置情報Ｂ２をプロットした情報）の作成を開始する。顔軌跡情報Ｃの作成は、所定の作成時間Ｔが経過するまで継続される。
【００２７】
図４は、顔軌跡情報Ｃの概念図である。図４において、顔軌跡情報Ｃの一例が破線で示される。図４では、顔が上方向に移動した後に右方向に移動するジェスチャ（“逆Ｌ字ジェスチャ”と呼ぶ）の例が示されている。
【００２８】
ジェスチャ判定部１６は、作成時間Ｔが経過すると、顔軌跡情報Ｃの作成を停止する。ここで、顔軌跡情報Ｃが確定する。そして、ジェスチャ判定部１６は、作成された顔軌跡情報Ｃが、基準ジェスチャパターン（基準顔軌跡情報）と一致するか否かを判定し、一致した基準ジェスチャパターンを決定ジェスチャ情報Ｄとして出力する。軌跡同士が一致しているか否かの判定については、たとえば、公知の技術を採用することができる。
【００２９】
なお、基準ジェスチャパターンは、遠隔操作を行う前に、予め、たとえば、記憶部２０に格納されているものとする。基準ジェスチャパターンは、単数であっても複数であってもよい。
【００３０】
また、決定ジェスチャ情報Ｄの情報形式は、ジェスチャそのものを示す名前情報（たとえば、上記“逆Ｌ字ジェスチャ”）であってもよいし、ジェスチャに対応した数字情報（たとえば、逆Ｌ字ジェスチャを示す“１”）であってもよい。
【００３１】
また、作成時間Ｔは、あくまで任意の時間であるが、たとえば、移動量が最も大きいジェスチャの推定実行時間以上の時間に設定すると、ジェスチャの途切れ、および操作レスポンス（ジェスチャから遠隔操作が実行されるまでの時間間隔）の長期化を回避することができる。
【００３２】
制御部１８は、ジェスチャ判定部１６から決定ジェスチャ情報Ｄを受信する。制御部１８は、決定ジェスチャ情報Ｄに対応する遠隔操作を特定する。たとえば、基準ジェスチャパターンと遠隔操作とを１対１に対応付けた遠隔操作検索テーブルを、予め記憶部２０に格納しておく。制御部１８は、決定ジェスチャ情報Ｄをキーに遠隔操作検索テーブルをサーチし、遠隔操作を特定する。制御部１８は、特定した遠隔操作の実行対象である機器に対して、当該遠隔操作を実行させるための指示Ｅを出力する。
【００３３】
本実施形態では、遠隔操作の実行対象である機器がカメラモジュール１２である場合を例に挙げる。たとえば、特定人物により行われたジェスチャが「撮影」を示すジェスチャであった場合、制御部１８は、カメラモジュール１２に対して、撮影を指示する指示Ｅを出力する。上記指示Ｅを受信したカメラモジュール１２は、撮影を実行する。
【００３４】
一方、特定人物により行われたジェスチャが「フォーカス制御」を示すジェスチャであった場合、制御部１８は、カメラモジュール１２に対して、フォーカス制御を指示する指示Ｅを出力する。上記指示Ｅを受信したカメラモジュール１２は、フォーカス制御を実行する。
【００３５】
記憶部２０は、上述の、第２顔特徴データ、基準ジェスチャパターン、遠隔操作検索テーブル等を記憶する。
【００３６】
報知部２２は、特定人物に対して、ジェスチャ判定期間中であるか否かを報知する。報知部２２は、視覚的に報知する手段、音で報知する手段、あるいはこれらの組み合わせによって構成される。視覚的に報知する手段の例としては、たとえば、ＬＥＤ（Light Emitting Diode）や液晶表示装置を挙げることができる。音で報知する手段の例としては、たとえば、スピーカを挙げることができる。報知部２２は、ジェスチャ判定部１６の制御によって動作する。具体的には、報知部２２は、特定人物の顔が撮影領域内に登場してから（すなわち、顔有無情報Ｂ１に“顔有り”を示す値がセットされていることが検出されてから）“報知状態”となり、作成時間Ｔ経過後に“報知停止状態”となる。
【００３７】
図５は、第１の実施形態におけるジェスチャ判定部１６の動作例を説明するフローチャートである。なお、ジェスチャ判定部１６以外の構成要素の動作については、上記構成についての説明を代用し、以下での説明を省略する。また、図５は、ジェスチャ判定部１６の動作を説明するものであるため、顔識別情報Ｂの入力については明示されていないが、少なくともステップＳ１〜Ｓ４の間、顔識別部１４からの顔識別情報Ｂは、ジェスチャ判定部１６に対して継続的に入力している。
【００３８】
ジェスチャ判定部１６は、顔識別部１４から受信した顔識別情報Ｂの顔有無情報Ｂ１に“顔有り”を示す値がセットされているか否かを判定する（ステップＳ１）。
【００３９】
顔有無情報Ｂ１に“顔有り”を示す値がセットされていない場合（ステップＳ１においてＮｏ判定）、ジェスチャ判定部１６は、ステップＳ１の処理を再度実行する（すなわち、顔検出部１４から次の静止画像データＡ１〜Ａｎについての顔識別情報Ｂを入力し、同様のチェックを実行する）。
【００４０】
顔有無情報Ｂ１に“顔有り”を示す値がセットされていた場合（ステップＳ１においてＹｅｓ判定）、ジェスチャ判定部１６は、顔位置情報Ｂ２に基づいて、顔軌跡情報Ｃの作成を開始する（ステップＳ２）。ジェスチャ判定部１６は、作成時間Ｔが経過したか否かを判定する（ステップＳ３）。作成時間Ｔが経過していない場合（ステップＳ３においてＮｏ判定）、ステップＳ３の処理が再度実行される。
【００４１】
作成時間Ｔが経過した場合（ステップＳ３においてＹｅｓ判定）、ジェスチャ判断部１６は、顔軌跡情報Ｃの作成を停止する（ステップＳ４）。ここで、顔軌跡情報Ｃが確定する。
【００４２】
ジェスチャ判定部１６は、作成された顔軌跡情報Ｃが基準ジェスチャパターンと一致するか否かを判定する（ステップＳ５）。
【００４３】
顔軌跡情報Ｃが基準ジェスチャパターンと一致しない場合（ステップＳ５においてＮｏ判定）、ジェスチャ判定部１６は、必要に応じてエラー処理（たとえば、未定義ジェスチャとしての処理）を実行し（図５において不図示）、次のジェスチャを検出するためにステップＳ１の処理を再実行する。
【００４４】
顔軌跡情報Ｃが基準ジェスチャパターンと一致する場合（ステップＳ５においてＹｅｓ判定）、ジェスチャ判定部１６は、一致した基準ジェスチャパターンを、決定ジェスチャ情報Ｄとして制御部１８へ出力する（ステップＳ６）。
【００４５】
以上説明した第１の実施形態において、ジェスチャ判定部１６は、作成期間Ｔにおける顔の位置の軌跡に基づいて作成された顔軌跡情報Ｃが、遠隔操作するために行われたジェスチャか否かを判定する。この場合、顔軌跡情報Ｃは、特定人物の顔が識別された場合（具体的には、顔有無情報Ｂ１に“顔有り”を示す値がセットされている場合）にのみ作成される。
【００４６】
従って、特定人物がジェスチャを行う期間内に、たとえば、特定人物の顔が静止している段階で他の人物の顔の動きが所定のジェスチャと一致してしまった場合や、特定人物と他の人物が同時に異なるジェスチャをした場合であっても、他の人物のジェスチャは、排除される。従って、特許文献１のように、ジェスチャの判定に混乱が生じ、場合によって他の人物のジェスチャが採用されてしまう事態を防ぐことができる。
【００４７】
すなわち、以上説明した第１の実施形態は、遠隔操作の操作性能を向上させることが可能となる。
【００４８】
なお、作成時間Ｔ内においてジェスチャが完了しなかった場合、一般的には、ジェスチャ判定部１６におけるジェスチャパターン比較処理にて不一致となる。ただし、軌跡の末端部分の僅かな欠落など、事実上ジェスチャが正常終了しているとみなすことができる場合もある。従って、ジェスチャ判定部１６におけるジェスチャパターン比較の許容度を適宜変更し、上記ジェスチャのように一定以上類似しているジェスチャをエラーとして処理するのではなく、正しいジェスチャと判断する構成とすることもできる。
【００４９】
また、第１の実施形態では、ジェスチャによる遠隔制御対象となる機器をカメラモジュール１２である場合を例に挙げた。しかしながら、これはあくまで一例であって、遠隔制御対象となる機器は、カメラモジュール１２に限定されない。
【００５０】
また、第１の実施形態では、遠隔制御対象となる機器（すなわち、カメラモジュール１２）が遠隔操作装置１０内の機器である場合を例に挙げたが、遠隔制御対象となる機器は、遠隔操作装置１０の外部に存在していてもよい。ただし、この場合、遠隔制御対象となる機器は、制御部１８から指示Ｅを受信できる環境下（すなわち、所定の通信網により制御部１８と接続されている状態）にある必要がある。
【００５１】
また、図１において、記憶部２０と報知部２２は、発明の課題を解決するための必須の要素でない。図６は、発明の課題を解決するための必須の要素のみで構成された遠隔操作装置５０の構成例を示すブロック図である。なお、図６に示す各要素の構成及び動作は図１で示したとおりである。従って、図６において図１と同一の符号を付与するとともにそれらの説明については省略する。
［第２の実施形態］
図７は、本発明の第２の実施形態に係る遠隔操作装置１００の構成例を示すブロック図である。遠隔操作装置１００は、ＣＰＵ（Central Processing Unit）１０２と、メモリ１０４と、を備える。
【００５２】
メモリ１０４は、遠隔操作プログラム２００を記憶する。遠隔操作プログラム２００は、ＣＰＵ１０２によって実行される。メモリ１０４の例としては、非一時的な記憶手段、たとえば、ＲＯＭ（Read Only Memory）、ハードディスク、リムーバブルメディア、あるいはリムーバブルディスク等を挙げることができる。
【００５３】
遠隔操作プログラム２００は、ＣＰＵ１０２に、以下の第１〜第４の処理を実行させるためのプログラムである。
【００５４】
第１の処理は、所定領域を撮影し、複数の静止画像データからなる撮影データを出力する処理である。
【００５５】
第２の処理は、静止画像データ毎に、特定人物の顔の有無を判断し、顔の有無を示す顔有無情報と顔の位置を示す顔位置情報とを含む顔識別情報を生成する処理である。
【００５６】
第３の処理は、顔有無情報を監視し、顔有無情報に顔有りを示す値がセットされていることを検出すると、顔位置情報に基づいて、所定の作成時間内における顔の顔軌を示す顔軌跡情報の作成を開始し、作成された顔軌跡情報が基準ジェスチャパターンと一致するか否かを判定し、一致した基準ジェスチャパターンを決定ジェスチャ情報として出力する処理である。
【００５７】
第４の処理は、決定ジェスチャ情報に対応する遠隔操作を特定し、特定した遠隔操作の実行対象である機器に対して、当該遠隔操作を実行させるための指示を出力する処理である。
【００５８】
第１、第２、および第４の処理は、図１で説明した各構成要素の処理に対応し、第３の処理は、図５のフローチャートで示される処理（ステップＳ１〜Ｓ６）に対応する。
【００５９】
以上説明した第２の実施形態によれば、第１の実施形態と同様に、遠隔操作の操作性能を向上させることが可能となる。
【符号の説明】
【００６０】
１０    遠隔操作装置
１２    カメラモジュール
１４    顔識別部
１６    ジェスチャ判定部
１８    制御部
２０    記憶部
２２    報知部
５０    遠隔操作装置
１００    遠隔操作装置
１０２    ＣＰＵ
１０４    メモリ
２００    遠隔操作プログラム
Ａ    撮影データ
Ａ１〜Ａｎ    静止画像データ
Ｂ    顔識別情報
Ｂ１    顔有無情報
Ｂ２    顔位置情報
Ｃ    顔軌跡情報
Ｄ    決定ジェスチャ情報
Ｅ    指示
【図１】
2015064714.tif 000003
【図２】
2015064714.tif 000004
【図３】
2015064714.tif 000005
【図４】
2015064714.tif 000006
【図５】
2015064714.tif 000007
【図６】
2015064714.tif 000008
【図７】
2015064714.tif 000009